(57)【要約】【課題】螺旋払出体を球取込部から取り外す保守作業の容易化を図る。【解決手段】出力軸４３に連結された螺旋払出体７をタンク構造体２から取り外す場合、ステップモータ６による螺旋払出体７の回転が停止されている状態において、人が規制部材３９を上方に抜き取り、タンク構造体２の上側から螺旋払出体７を左側から右側に動かすと、軸継手３５、ステップモータ６、検出基板３２、機構基盤３１がガイド柱２８で誘導されつつ右側に移動し、モータケース４０が弾性体７１を右側に撓ませ、払出軸４６が軸受孔２４から右側に取り外され、その後、人が螺旋払出体７の左端部を上方に持ち上げ、螺旋払出体７が斜めとなって球取込部１１から上方に引き抜かれるのに伴い、弾性体７１によって左側に押された機構基盤３１が台座２７に受け止められ、螺旋払出体７の結合部４７が払出体結合部６０から解放され、螺旋払出体７がタンク構造体２から上方に取り外せる。【選択図】図２
2007050151.tif 000002
【特許請求の範囲】
【請求項１】
タンク構造体の底部に球取込部を設け、球取込部に螺旋払出体を収容し、タンク構造体の外側にステップモータを取り付け、ステップモータの出力軸を上記球取込部に収容された螺旋払出体に連結し、球がタンク構造体に供給された状態において、ステップモータが一方向に回転すると、螺旋払出体がタンク構造体における球を分離しつつ球取込部の球出口から下側に払い出す遊技機の球払出装置において、ステップモータがタンク構造体の外側で側壁に対し横方向に移動可能に組み付けられるとともに弾性体で螺旋払出体の側に押されるか、または、螺旋払出体が球取込部の内部で横方向に移動可能に組み付けられるとともに弾性体でステップモータの側に押されたことを特徴とする遊技機の球払出装置。
【請求項２】
弾性体で螺旋払出体の側に押されたステップモータを螺旋払出体から離れる側に戻さないように規制する規制部材が設けられたことを特徴とする請求項１記載の遊技機の球払出装置。
【請求項３】
ステップモータをタンク構造体の外側で側壁に対し横方向に移動可能に組み付けるための機構基盤が設けられたことを特徴とする請求項１記載の遊技機の球払出装置。
【発明の詳細な説明】
【技術分野】
【０００１】
本発明は、螺旋払出体を球取込部から取り外す保守作業が容易な遊技機の球払出装置に関する。
【背景技術】
【０００２】
遊技機の球払出装置には、次の構造のものが知られている。それは、タンク構造体の底部に球取込部を設け、球取込部に螺旋払出体を収容し、タンク構造体の外側にステップモータを取り付け、ステップモータのモータ軸のような出力軸を上記球取込部に収容された螺旋払出体に連結し、球がタンク構造体に供給された状態において、ステップモータが一方向に回転すると、螺旋払出体がタンク構造体における球を分離しつつ取り込んで球取込部の内部を左側から右側に移動させて球取込部の球出口から前後２列に分けて下側に払い出す。しかしながら、球取込部に球詰まりや異物の混入が発生し、螺旋払出体を球取込部から取り外して球詰まりの解消や異物の除去を行う保守作業の場合、ステップモータをタンク構造体から取り外さなければ、螺旋払出体を球取込部から取り外すことができないという欠点がある。
【特許文献１】特開平８−１０４１５号公報
【発明の開示】
【発明が解決しようとする課題】
【０００３】
発明が解決しようとする問題点は、螺旋払出体を球取込部から取り外す保守作業が面倒であるという点である。
【課題を解決するための手段】
【０００４】
本発明に係る遊技機の球払出装置は、タンク構造体の底部に球取込部を設け、球取込部に螺旋払出体を収容し、タンク構造体の外側にステップモータを取り付け、ステップモータの出力軸を上記球取込部に収容された螺旋払出体に連結し、球がタンク構造体に供給された状態において、ステップモータが一方向に回転すると、螺旋払出体がタンク構造体における球を分離しつつ球取込部の球出口から下側に払い出す遊技機の球払出装置において、ステップモータがタンク構造体の外側で側壁に対し横方向に移動可能に組み付けられるとともに弾性体で螺旋払出体の側に押されるか、または、螺旋払出体が球取込部の内部で横方向に移動可能に組み付けられるとともに弾性体でステップモータの側に押されたことを最も主要な特徴とする。弾性体で螺旋払出体の側に押されたステップモータを螺旋払出体から離れる側に戻さないように規制する規制部材が設けられたり、または、ステップモータをタンク構造体の外側で側壁に対し横方向に移動可能に組み付けるための機構基盤が設けられたりしてもよい。
【発明の効果】
【０００５】
本発明に係る遊技機の球払出装置は、球取込部に球詰まりや異物の混入が発生し、螺旋払出体を球取込部から取り外して球詰まりの解消や異物の除去を行う保守作業の場合、人が螺旋払出体を球取込部からタンク構造体の上側に簡単に取り外して、保守作業を行うことができ、保守作業が終了した後、人が螺旋払出体をタンク構造体の上側からステップモータおよび球取込部に簡単に取り付けることができるという利点がある。弾性体で螺旋払出体の側に押されたステップモータを螺旋払出体から離れる側に戻さないように規制する規制部材が設けられれば、ステップモータによって螺旋払出体が一方向に回転して球を球出口に払い出す過程において、螺旋払出体をステップモータの側に移動するような外力が螺旋払出体に付加された場合でも、規制部材がステップモータを移動しないように受け止め、出力軸と螺旋払出体との連結が確保され、球が適切に払い出されるという利点がある。ステップモータをタンク構造体の外側で側壁に対し横方向に移動可能に組み付けるための機構基盤が設けられれば、ステップモータを特殊な形状にすることなく市販のものを使用することができるという利点がある。
【発明を実施するための最良の形態】
【０００６】
図１乃至図４は、払出機構３がタンク構造体２の右側に設けられる場合を例とした、発明を実施するための最良の形態である。図１は、螺旋払出体７をタンク構造体２に装着されたステップモータ６の出力軸４３（図３参照）に設けられた軸継手３５と連結する工程を示す。図２は、軸継手３５に連結された螺旋払出体７をタンク構造体２から取り外す工程を示す。図３は、タンク構造体２に設けられる払出機構３を分解して示す。図４は、遊技機の球払出装置１を備えた裏面を示す。本明細書において、「前」、「後」、「裏」、「左」、「右」、「上」、「下」の方向は、図４の状態に遊技機枠を置いて図４の紙面の裏側から見た場合に特定される方向、または、図３の状態にタンク構造体２および払出機構３を置いて矢印Ａで示す前側から見た場合に特定される方向である。「後」と「裏」とは同じ方向である。
【０００７】
図４を参照し、遊技機の球払出装置１の構造について説明する。球払出装置１は、タンク構造体２と払出機構３および制御装置４を備える。タンク構造体２と払出機構３および制御装置４は、遊技機枠５の裏側に設けられる。タンク構造体２は、遊技機設置構造体の球補給機から供給される球を受け取って貯蔵する、上方に開口した容器である。払出機構３は、タンク構造体２の底部に設けられ、ステップモータ６と螺旋払出体７および球検出器８を備える。ステップモータ６は払出駆動源であって、タンク構造体２の右外側に設けられる。螺旋払出体７は、丸棒９の外周面に、螺旋体１０を、丸棒９の軸心と平行な方向に球を１個ずつ分離する間隔で、丸棒９の外周面から径方向外側に螺旋状に突出する。螺旋払出体７は、球取込部１１に配置される。球取込部１１は、タンク構造体２の右内側に位置し、タンク構造体２における底部の上面から下方への半円形な窪みとして形成される。球出口１２は、球取込部１１の底部に上下方向への貫通孔として形成される。
【０００８】
制御装置４が電気的に起動し、タンク構造体２が球補給機から供給された球を貯蔵した状態において、賞球または貸球などの球払出開始に伴い、制御装置４がステップモータ６を駆動する。これによって、ステップモータ６が一方向に回転し、螺旋払出体７が球を螺旋体１０の隙間に分離しつつ取り込んで球取込部１１の内部を左側から右側に移動させて球出口１２から前後２列に分けて下側に払い出す。螺旋払出体７の前側に分離された球と螺旋払出体７の後側に分離された球とは、球出口１２から同時に排出されることはなく、球出口１２から螺旋払出体７の半回転だけずれて互い違いに排出される。これに伴い、球検出器８が螺旋払出体７から払い出された球を１個ずつ検出して信号を制御装置４に出力する。球検出器８の個数は、単数でも複数でもよい。単数の場合、球検出器８は球出口１２から前後２列に分けられ払い出される球が１列に集合された通路に設けられる。複数の場合、球検出器８は前後２列に分けられ払い出される球の列ごとの通路に設けられる。球検出器８で検出された球は、払出機構３から受皿部１３に排出される。受皿部１３は、遊技機枠５の前側に設けられる。制御装置４は、球検出器８からの入力信号をカウントアップまたはカウントダウンによって払出数を演算し、演算した払出数が払い出すべき数値かまたはゼロに到達すると、ステップモータ６を停止する。これによって、上記払出機構３からの球の払い出しが停止する。遊技機枠５の裏側には、部品突出用の開口部１４が設けられる。図外の遊技盤が遊技機枠５に装着された場合、遊技盤の裏面に設けられた部品が開口部１４を経由して裏側に突出される。遊技機枠５の前側には、球発射操作機構１５が設けられる。
【０００９】
図３を参照し、払出機構３の構造について説明する。タンク構造体２の右側壁２１には、棒逃避孔２２が、球取込部１１の右側を塞ぐ部分に位置し、左右方向への貫通孔として設けられる。右側壁２１は、タンク構造体２におけるステップモータ６を取り付けるための側壁を構成する。棒逃避孔２２は、螺旋払出体７の丸棒９における右端部を回転可能に挿入するための部分である。球取込部１１の左側を塞ぐ左側壁２３には、軸受孔２４が左右方向への貫通孔として設けられる。左側壁２３は、タンク構造体２における螺旋払出体７の払出軸４６を回転可能に支持するための側壁を構成する。棒逃避孔２２および軸受孔２４は、互いに同軸上で相対峙する。右側壁２１には、ガイド部材２５およびカバー取付部２６が設けられる。ガイド部材２５は、棒逃避孔２２を境として棒逃避孔２２の径方向外側で相対峙する一対であって、台座２７とガイド柱２８とを備える。台座２７は、右側壁２１から右側に突出するように、右側壁２１に設けられる。ガイド柱２８は、台座２７から右側に突出するように、台座２７に設けられる。カバー取付部２６は、ガイド部材２５よりも前方および後方に位置し、右側壁２１に左右方向への貫通孔として設けられる。
【００１０】
払出機構３は、ステップモータ６や螺旋払出体７などの他に、機構基盤３１、検出基板３２、位置検出器３３、コネクタ３４、軸継手３５、被検出体３６、カバー３７、蓋３８、規制部材３９を備える。ステップモータ６における図外のロータやステータなどのモータ要素を内蔵したモータケース４０には、取付足４１を備える。取付足４１には、取付孔４２が、左右方向への貫通孔として設けられる。ステップモータ６におけるモータ軸のような出力軸４３は、モータケース４０の中心部から左側に回転可能に突出する。出力軸４３には、結合部４４が、出力軸４３の周縁部の一部を除去した平坦な面として設けられる。螺旋払出体７における丸棒９の左端部には、払出軸４６が同軸状に突出する。払出軸４６の太さは、丸棒９よりも細い。丸棒９の右端部には、結合部４７が設けられる。結合部４７は、丸棒９の右端面から内部に窪む、側面視半円形の異形孔である。
【００１１】
機構基盤３１は、ステップモータ６を右側壁２１の右側で右側壁２１に対し左右方向に移動可能に組み付けるための部材であって、軸逃避孔４９、モータ取付部５０、ガイド受部５１が設けられる。軸逃避孔４９は、出力軸４３および軸継手３５を回転可能に挿入するための部分であって、機構基盤３１の中央に位置し、左右方向への貫通孔として設けられる。モータ取付部５０は、軸逃避孔４９を境として軸逃避孔４９の径方向外側で相対峙し、左右方向に貫通するねじ結合孔として設けられる。ガイド受部５１は、軸逃避孔４９を境として軸逃避孔４９の径方向外側で相対峙し、ガイド柱２８を嵌め込むための左右方向に貫通するガイド孔として構成される。ガイド受部５１は、機構基盤３１から右側に突出した筒体５２で囲まれる。
【００１２】
検出基板３２は、プリント基板により構成された回路基板であって、軸逃避孔５４および取付部５５が設けられる。軸逃避孔５４は、出力軸４３および軸継手３５を回転可能に挿入するための部分であって、検出基板３２の中央に位置し、左右方向への貫通孔として設けられる。取付部５５は、検出基板３２を機構基盤３１に取り付けるための部分であって、モータ取付部５０と対応し、左右方向に貫通するねじ挿入孔として設けられる。位置検出器３３は、ステップモータ６の原点位置を検出するものであって、検出基板３２の左面に取り付けられる。位置検出器３３の電気端子は、検出基板３２における箔電線に半田付けされる。コネクタ３４は、位置検出器３３を図４の制御装置４に接続するためのものであって、位置検出器３３と異なる位置および被検出体３６と干渉しない位置に位置するように、検出基板３２の左面に取り付けられる。
【００１３】
ステップモータ６および検出基板３２は、機構基盤３１に次のように取り付けられる。出力軸４３が機構基盤３１の右側から軸逃避孔４９に挿入され、取付足４１が機構基盤３１の左面に重ね合わされ、取付孔４２とモータ取付部５０とが互いに位置を合わされ、位置検出器３３およびコネクタ３４が右側壁２１の側に向けられ、検出基板３２が機構基盤３１の左面に重ね合わされ、取付部５５とモータ取付部５０とが互いに位置を合わされ、タッピングスクリューのような止ねじ５７が検出基板３２の左側から取付部５５およびモータ取付部５０を順次経由して取付孔４２に締結される。これによって、ステップモータ６および検出基板３２が、機構基盤３１に取り付けられる。
【００１４】
軸継手３５は、ステップモータ６の出力軸４３と螺旋払出体７とを一緒に回転するように連結するものであって、左右方向に直線的に延びる棒体の右端部に出力軸結合部５９を備え、棒体の左端部に払出体結合部６０を備える。出力軸結合部５９は、棒体の右端面から内部に窪む、側面視半円形の異形孔である。払出体結合部６０は、棒体の周縁部の一部を除去した平坦な面として設けられる。被検出体３６は、軸継手３５における棒体の周縁部から外側に突出した円盤の周縁部から左側に周壁を突出した形状である。被検出体３６の周壁は、軸継手３５の中心を中心とする１つの円周上に位置する。被検出体３６の周壁には、被検出溝６１が、周壁を径方向に貫通して形成される。
【００１５】
軸継手３５には、出力軸４３と螺旋払出体７とが次のように連結される。ステップモータ６および検出基板３２が機構基盤３１に取り付けられ、軸継手３５の出力軸結合部５９が検出基板３２の左側から軸逃避孔５４および軸逃避孔４９を順次経由してステップモータ６の結合部４４に嵌め込まれることによって、軸継手３５と出力軸４３とが一緒に回転するように連結され、被検出体３６の周壁が位置検出器３３の凹部６３に非接触に取り込まれる。螺旋払出体７の丸棒９の右端部が右側壁２１の左側から棒逃避孔２２に挿入され、螺旋払出体７が球取込部１１に上方から挿入され、螺旋払出体７の払出軸４６が軸受孔２４に右側から左側へと挿入される。棒逃避孔２２を経由して右側壁２１よりも右側に突出した螺旋払出体７の結合部４７が払出体結合部６０に嵌め込まれることによって、螺旋払出体７と軸継手３５とが一緒に回転するように連結される。
【００１６】
ステップモータ６および検出基板３２が機構基盤３１に取り付けられ、軸継手３５と出力軸４３とが一緒に回転するように連結され、被検出体３６の周壁が位置検出器３３の凹部６３に非接触に取り込まれた状態において、位置検出器３３が検出基板３２から供給された電力によって検出光を凹部６３の一側に配置された発光部から凹部６３の他側に配置された受光部に向けて照射し、ステップモータ６が図４の制御装置４からの制御で駆動し、出力軸４３が一方向に回転するのに伴い被検出体３６も出力軸４３と一緒に一方向に回転すると、被検出溝６１が被検出体３６の１回転ごとに１回だけ位置検出器３３の発光部から受光部に向けて照射されている検出光と出合うことによって、位置検出器３３が原点位置検出信号を図４の制御装置４に出力する。また、ステップモータ６および検出基板３２が機構基盤３１に取り付けられ、軸継手３５と出力軸４３とが一緒に回転するように連結され、被検出体３６の周壁が位置検出器３３の凹部６３に非接触に取り込まれた状態において、ガイド受部５１が右側壁２１の右側からガイド柱２８に嵌め込まれると、ガイド柱２８とガイド受部５１との嵌め合いによる案内機能によって、ステップモータ６と機構基盤３１および検出基板３２が一体となって右側壁２１の右側で右側壁２１に対し左右方向に移動可能に組み付けられた形態となる。
【００１７】
カバー３７は、ステップモータ６、ガイド部材２５、機構基盤３１、検出基板３２、位置検出器３３、コネクタ３４、軸継手３５、被検出体３６など、右側壁２１の右側に配置される部品を全体的に覆い隠す箱形である。カバー３７の左面および上面には開口６４；６５が形成される。開口６４の前縁部および後縁部には、カバー３７を右側壁２１に取り付けるための取付部６６が設けられる。取付部６６には、ねじ挿入孔６７が、左右方向への貫通孔として設けられる。開口６５の前縁部および後縁部には、蓋３８をカバー３７に取り付けるための取付部６８が設けられる。取付部６８には、ねじ結合孔６９が、上下方向への貫通孔として設けられる。カバー３７の右側壁７０には、ステップモータ６を右側に弾性的に押すための弾性体７１が設けられる。弾性体７１は、右側壁７０から左側に突出した片持ち梁のような構造であって、ステップモータ６を螺旋払出体７の側に弾性的に押す。蓋３８は、開口６５を覆い隠す大きさの板状である。蓋３８には、ねじ挿入孔７２が、上下方向への貫通孔として設けられる。規制部材３９は、弾性体７１で螺旋払出体７の側に押されたステップモータ６が右側壁７０の側に戻るのを規制するものである。
【００１８】
ガイド受部５１とガイド柱２８とが嵌め合わされ、ステップモータ６と機構基盤３１および検出基板３２が一体となって右側壁２１の右側で右側壁２１に対し左右方向に移動可能に組み付けられた状態において、カバー３７の開口６４が左側に向けられ、カバー３７の開口６５が上側に向けられ、カバー３７が右側壁２１の右側からステップモータ６、ガイド部材２５、機構基盤３１、検出基板３２、位置検出器３３、コネクタ３４、軸継手３５、被検出体３６を覆いつつ、取付部６６が右側壁２１の右面に重ね合わされ、ねじ挿入孔６７がカバー取付部２６に位置を合わせられ、タッピングスクリューのような止ねじ７３がカバー３７の右側からねじ挿入孔６７を経由してカバー取付部２６に締結されると、弾性体７１がモータケース４０を右側から左側へと螺旋払出体７の側に弾性的に押して撓む。よって、ステップモータ６および検出基板３２と一体となった機構基盤３１が弾性体７１による押し力で台座２７に受け止められ、出力軸４３に結合された軸継手３５の払出体結合部６０が棒逃避孔２２に右側から挿入されるものの、被検出体３６の円盤が右側壁２１の右面に受け止められ、上記出力軸４３と軸継手３５との結合が維持される（図１のａ図参照）。
【００１９】
図１を参照し、螺旋払出体７をタンク構造体２に装着されたステップモータ６の出力軸４３と連結する場合について説明する。図１のａ図に示すように、螺旋払出体７の丸棒９の右端部が右側壁２１の左側から棒逃避孔２２に挿入される。次に、図１のｂ図に示すように、螺旋払出体７が球取込部１１に上方から挿入されつつ、螺旋払出体７の結合部４７が棒逃避孔２２を経由して払出体結合部６０に嵌め込まれる。その後、螺旋払出体７が人によって弾性体のばね力に抗し左側から右側へとステップモータ６の側に押し動かされると、軸継手３５が右側に移動して出力軸４３を右側に押すのに伴い、ステップモータ６および検出基板３２と一体となった機構基盤３１がガイド柱２８で誘導されつつカバー３７の右側壁７０の側に移動し、モータケース４０が弾性体７１を右側に撓ませる。
【００２０】
図１のｃ図に示すように、人が上記弾性体７１のばね力に抗する右側に押す力を螺旋払出体７から解除しつつ、払出軸４６と軸受孔２４との位置を合わせる。そして、人が上記右側に押す力を螺旋払出体７から解除するのに伴い、弾性体７１が螺旋払出体７を右側から左側に押し、払出軸４６が軸受孔２４に嵌め込まれ、機構基盤３１が台座２７に受け止められる。これによって、螺旋払出体７が出力軸４３に連結された軸継手３５と軸受孔２４とによって左右方向の両側で回転可能に支持される。つまり、弾性体７１によって左側に押された機構基盤３１が台座２７に受け止められることによって、弾性体７１が螺旋払出体７を左側に押さないので、丸棒９が軸受孔２４の周りの左側壁２３に押し付けられることがなく、ステップモータ６が負荷を受けることなく、螺旋払出体７が適切に回転されるという利点がある。螺旋払出体７がタンク構造体２に装着された後、規制部材３９がカバー３７の上側から開口６５を経由して右側壁７０とモータケース４０との間に嵌め込まれて装着される。このように規制部材３９が装着されているので、ステップモータ６によって螺旋払出体７が一方向に回転して球を球出口１２に払い出す過程において、螺旋払出体７を左側から右側に移動するような外力が螺旋払出体７に付加された場合でも、規制部材３９がモータケース４０を右側に移動しないように受け止め、軸継手３５と軸受孔２４とによる螺旋払出体７の回転可能な支持が確保され、球が適切に払い出されるという利点がある。
【００２１】
図２を参照し、出力軸４３に連結された螺旋払出体７をタンク構造体２から取り外す場合について説明する。図２のａ図に示すように、ステップモータ６による螺旋払出体７の回転が停止されている状態において、人が規制部材３９を右側壁７０とモータケース４０との間から上方に抜き取り、タンク構造体２の上側から螺旋払出体７をステップモータ６の側に動かす。すると、図２のｂ図に示すように、軸継手３５が右側に移動して出力軸４３を右側に押すのに伴い、ステップモータ６および検出基板３２と一体となった機構基盤３１がガイド柱２８で誘導されつつ右側に移動し、モータケース４０が弾性体７１を右側に撓ませ、払出軸４６が軸受孔２４から右側に取り外される。その後、図２のｃ図に示すように、人が螺旋払出体７の左端部を上方に持ち上げ、螺旋払出体７が斜めとなって球取込部１１から上方に引き抜かれるのに伴い、弾性体７１によって左側に押された機構基盤３１が台座２７に受け止められ、螺旋払出体７の結合部４７が払出体結合部６０から解放され、螺旋払出体７がタンク構造体２から上方に取り外される。
【００２２】
最良の形態によれば、ステップモータ６が右側壁２１の右側で右側壁２１に対し左右方向に移動可能に組み付けられ、弾性体７１がステップモータ６を右側壁２１の側に押し、ステップモータ６が台座２７に受け止められているので、図１のａ図や図２のａ図に示すように、螺旋払出体７がステップモータ６の動力によって球を払い出すことが可能なようにタンク構造体２の球取込部１１に装着された状態において、例えば、球取込部１１に球詰まりや異物の混入が発生し、螺旋払出体７を球取込部１１から取り外して球詰まりの解消や異物の除去を行う保守作業の場合、人が図２の工程で規制部材３９を右側壁７０とモータケース４０との間から上方に抜き取った後に螺旋払出体７をタンク構造体２から上方に簡単に取り外せるので、払出機構３の保守作業が簡単であるという利点がある。払出機構３の保守が終了した後、人が図１の工程で螺旋払出体７をステップモータ６および球取込部１１に装着に簡単に取り付けることができるという利点がある。
【００２３】
ステップモータ６が右側壁２１の右側で右側壁２１に対し左右方向に移動可能に組み付けられた場合、ステップモータ６が、ガイド柱２８とガイド受部５１との嵌め合いによる案内機能によって支持されているので、ステップモータ６ががたつくことなく、ステップモータ６の動力が軸継手３５から螺旋払出体７に適切に伝達され、螺旋払出体７がステップモータ６の動力によって球を適切に払い出すことができるという利点がある。弾性体７１がカバー３７に片持ち梁のように一体に設けられているので、弾性体７１がカバー３７と分離されて形成されたカバー３７の右側壁７０とモータケース４０との間に嵌め込まれて装着される構造に比べ、組立作業が容易に行えるという利点がある。ステップモータ６を右側壁２１の右側で右側壁２１に対し左右方向に移動可能に組み付けるために、機構基盤３１が設けられ、ステップモータ６を固定した機構基盤３１がガイド柱２８とガイド受部５１との嵌め合いによる案内機能によって右側壁２１に対し左右方向に移動可能に組み付け支持されているので、ステップモータ６を特殊な形状にすることなく市販のものを使用することができるという利点がある。カバー３７の上側の開口６５を塞ぐ蓋３８を設けたので、蓋３８を開けて上側の開口６５から払出機構３を簡単に保守することができるという利点がある。
【産業上の利用可能性】
【００２４】
図５は、異なる第１の形態を示し、タンク構造体２の右側壁２１にガイド部材２５を設けることなく、カバー３７の右側壁７０にガイド部材７５を設け、ガイド部材７５に機構基盤３１のガイド受部５１を嵌め込むことによって、ステップモータ６を右側壁２１の右側で右側壁２１に対し左右方向に移動可能に組み付けた構造である。この場合、弾性体７１をカバー３７の右側壁７０に設けることなく、コイルスプリングのような弾性体７６をガイド部材７５に装着してもよい。
【００２５】
図６は、異なる第２の形態を示し、螺旋払出体７を左側壁２３の側に移動して着脱する構造である。つまり、軸受孔２４を含む周囲の部分からなる軸受部７７が左側壁２３から切り離したような形状として設けられる。そして、螺旋払出体７の払出軸４６が軸受部７７の右側から軸受孔２４に挿入される。また、ガイド部材７８が軸受部７７の左側から軸受孔２４に挿入される。ガイド部材７８には、コイルスプリングのような弾性体７９が装着される。弾性体７９は、ガイド部材７８の設けられた支持カバー８０と軸受部７７と接触し、軸受部７７を左側から右側に弾性的に押す。支持カバー８０は軸受部７７、ガイド部材７８、弾性体７９を覆い隠してタンク構造体２の底部に重ね合わされ、タッピングスクリューのような止ねじ８１が支持カバー８０の下側から支持カバー８０を貫通してタンク構造体２の底部に締結されることによって、支持カバー８０がタンク構造体２に取り付けられる。この形態の場合、弾性体７９が軸受部７７を左側から右側へとステップモータ６の側に弾性的に押すことによって、軸受部７７が丸棒９、軸継手３５を介してステップモータ６を左側から右側に押し、モータケース４０をカバー３７の右側壁７０の左面に押し付けられるが、ステップモータ６をカバー３７またはタンク構造体２に固定的に取り付けてもよい。
【００２６】
図７は、異なる第３の形態を示し、螺旋払出体７を左右方向に伸縮して着脱する構造である。図７のａ図は、丸棒９に払出軸４６を設けることなく、丸棒９の左端部に収容部８２が、丸棒９の左端面から内部への窪みとして設けられる。収容部８２の奥に位置する右面には突起８３が設けられる。コイルスプリングのような弾性体８４が丸棒９の左側から収容部８２に挿入され、弾性体８４の右端部が突起８３に係留される。収容部８２には軸部材８５が丸棒９の左側から収容部８２に挿入され、軸部材８５の右端部に設けられた突起８６が弾性体８４の左端部に係留される。軸部材８５の左端部には払出軸４６が設けられる。そして、軸部材８５が収容部８２に格納された状態において、弾性体８４は伸びきった態様であって、払出軸４６が丸棒９よりも左側に突出した態様となっている。よって、図７のａ図において、軸部材８５が人によって弾性体８４を押し縮めつつ収容部８２の奥の方に移動されることによって、螺旋払出体７における払出軸４６の左端面から丸棒９の右端面までの左右方向の長さが収縮され、払出軸４６が軸受孔２４から取り外される。上記人による弾性体８４を押し縮める外力が軸部材８５から解除されると、軸部材８５が弾性体８４のばね力で収容部８２の奥の方から左側に移動し、螺旋払出体７の長さが伸張し、払出軸４６が軸受孔２４に嵌め込まれる。
【００２７】
図７のｂ図は、丸棒９に払出軸４６を設けることなく、丸棒９の左端部に支柱８７が設けられる。支柱８７の左面には突起８３が設けられる。弾性体８４の右端部が突起８３に係留される。弾性体８４および支柱８７には、軸部材８８の右端面から内部への窪みとして軸部材８８の右端部に設けられた収容部８９が被せられる。収容部８９の奥に位置する左面には突起８６が設けられる。突起８６には、弾性体８４に左端部が係留される。軸部材８５の左端部には払出軸４６が設けられる。そして、軸部材８８が弾性体８４および支柱８７が被せられた状態において、弾性体８４は伸びきった態様であって、軸部材８８が支柱８７に左右方向に移動可能な態様となっている。よって、図７のｂ図において、軸部材８８が人によって弾性体８４を押し縮めつつ右側に移動されることによって、螺旋払出体７における払出軸４６の左端面から丸棒９の右端面までの左右方向の長さが収縮され、払出軸４６が軸受孔２４から取り外される。上記人による弾性体８４を押し縮める外力が軸部材８８から解除されると、軸部材８８が弾性体８４のばね力で左側に移動し、螺旋払出体７の長さが伸張し、払出軸４６が軸受孔２４に嵌め込まれる。
【００２８】
図３において、蓋３８はヒンジで開閉可能にカバー３７に設けられてもよい。図３において、弾性体７１は、カバー３７と分離されて形成されてカバー３７の右側壁７０とモータケース４０との間に嵌め込まれて装着される構造でもよい。この場合、弾性体７１としては、コイルスプリングを使用してもよい。図３において、結合部４７および払出体結合部６０が互いに嵌め合わされ、軸継手３５と出力軸４３とが互いに同軸状に連結された後、セットスクリューのような止ねじが丸棒９の径方向の外側から内部を経由して出力軸４３に到達されることによって、軸継手３５と出力軸４３とが互いに止ねじで結合されてもよい。
【図面の簡単な説明】
【００２９】
【図１】螺旋払出体をステップモータの出力軸と連結する平面図的な工程図（最良の形態）。
【図２】螺旋払出体をステップモータの出力軸から取り外す側面図的な工程図（最良の形態）。
【図３】タンク構造体に設けられる払出機構の分解斜視図（最良の形態）。
【図４】球払出装置を備えた遊技機の裏面図（最良の形態）。
【図５】タンク構造体に設けられる払出機構の平面的な断面図（異なる第１形態）。
【図６】タンク構造体に設けられる払出機構の縦断面図（異なる第２形態）。
【図７】螺旋払出体の払出軸周りの断面図（異なる第３形態）。
【符号の説明】
【００３０】
１    球払出装置
２    タンク構造体
６    ステップモータ
７    螺旋払出体
１１  球取込部
１２  球出口
７１  弾性体
【図１】
2007050151.tif 000003
【図３】
2007050151.tif 000004
【図４】
2007050151.tif 000005
【図５】
2007050151.tif 000006
【図６】
2007050151.tif 000007
【図７】
2007050151.tif 000008
【図２】
2007050151.tif 000009